(57)【要約】  【課題】本実施例のペットボトル保持具はペットボトルのキャップを片手で開けるペットボトル保持具を提供することを課題とする。  【解決手段】本発明が上記課題を解決するために提供するペットボトル保持具は、ベース１と、前記ベース１の四隅にガイドポスト斜面部２aを内側にしてベースに取り付けられた同形状の４本のガイドポスト２と、前記ベース下部に取り付けられたスベリ止め３とより構成することを特徴とするペットボトル保持具１０である。【選択図】図５
2017065683.tif 000002
【特許請求の範囲】
【請求項１】
ベースと、前記ベース中心から等距離にベースの四隅にガイドポスト斜面部をそれぞれ内側にしてベースに取り付けられた同形状の４本のガイドポストと、前記ベース下部に取り付けられたスベリ止めとより構成することを特徴とするペットボトル保持具。
【発明の詳細な説明】
【技術分野】
【０００１】
本発明は、ペットボトル保持具に関するものである。
【背景技術】
【０００２】
従来、片手不自由な人はペットボトルのキャップを開けるのは困難であった。両膝でペットボトルを挟んでキャップを開ける方法はあったが、空けた瞬間にボトルの液体がペットボトルから、あふれて衣類をぬらしてしまう難点があった。
【発明の概要】
【発明が解決しようとする課題】
【０００３】
ペットボトルのキャップを片手で開けるペットボトル保持具を提供することを課題とする。
【課題を解決するための手段】
【０００４】
本発明が上記課題を解決するために提供するペットボトル保持具は、ベース１と、前記ベース１中心から等距離にベースの四隅にガイドポスト斜面部２aをそれぞれ内側にしてベースに取り付けられた同形状の４本のガイドポスト２と、前記ベース下部に取り付けられたスベリ止め３とより構成することを特徴とする。前記ガイドポスト斜面部２aはベース中心垂線に対し５°〜１５°開いた傾きを持つのがよい。
【発明の効果】
【０００５】
平滑なテーブル上にペットボトル保持具を置き、ペットボトル底部をガイドポスト４本の内側に強く挿入するだけで、ペットボトルは固定され、ペットボトルのキャップを下側に押しながら前記ペットボトルのキャップを反時計回りに回転させれば、キャップは開けられる。
【図面の簡単な説明】
【０００６】
【図１】本発明の実施例の全体構成の正面図
【図２】図１の平面図
【図３】正面図（図１  材質の軟らかいペットボトルを挿入）
【図４】正面図（図１  材質の硬いペットボトルを挿入）
【図５】正面図（図３  材質の軟らかいペットボトルのキャップを外                す）
【図６】正面図（図４  材質の硬いペットボトルのキャップを外す）
【発明を実施するための最良の形態】
【０００７】
本発明を実施するための最良の形態を実施例によって説明する。
【０００８】
本発明の実施例を図１、図２、図３、図４、図５、及び図６により説明する。図１は全体構成図であり、図２は図１の平面図あり、図３、図４、図５、及び図６はペットボトルのキャップを外していくための手順の図である。
【０００９】
［実施例の構成について説明する］
【００１０】
本実施例のペットボトル保持具は、ベース１と、前記ベース１中心から等距離にベースの四隅にガイドポスト斜面部２aをそれぞれ内側にしてベースに取り付けられた同形状の４本のガイドポスト２と、前記ベース下部に取り付けられたスベリ止め３とより構成することを特徴とする。前記ガイドポスト斜面部２aはベース中心垂線に対し５°〜１５°開いた傾きを持つのがよい。
【００１１】
［実施例の機能について説明する］
【００１２】
図３、及び図５により、軟らかい材質のペットボトル２０の場合の説明をする。
図３に示すように、ペットボトル保持具１０をテーブル３０の上に置き、ペットボトル２０を４本のガイドポスト２の内側中心に押し込む。ペットボトルはペットボトルの材質が軟らかければ、ペットボトル側面下部２０bがガイドポスト斜面部２aに食い込んで止まる。  
図３、図５に示すようにペットボトル２０にガイドポスト斜面部２aが食い込んでおり、ベース下部にはスベリ止め３設けてあるので、図４示すように、ペットボトルキャップ２０aを下方に押さえながら反時計回りに回せば、ペットボトル２０自体は回らないのでペットボトルキャップ２０aのみを外すことができる。
【００１３】
図４、及び図６により、硬い材質のペットボトル２０の場合の説明をする。
図４に示すように、ペットボトル保持具１０をテーブル３０の上に置き、ペットボトル２０を４本のガイドポスト２の内側中心に押し込む。ペットボトルはペットボトルの材質が硬ければ、ペットボトル底部角部２０cがガイドポスト斜面部２aに硬く嵌って止まる。  
図４、図６に示すようにペットボトル２０はガイドポスト斜面部２aに硬く嵌って止まっており、ベース下部にはスベリ止め３設けてあるので、図４示すように、ペットボトルキャップ２０aを下方に押さえながら反時計回りに回せば、ペットボトル２０自体は回らないのでペットボトルキャップ２０aのみを外すことができる。
【符号の説明】
【００１４】
１            ベース
２            ガイドポスト
２ａ          ガイドポスト斜面部
３            スベリ止め
１０          ペットボトル保持具
２０          ペットボトル
２０ａ        ペットボトルキャップ
２０ｂ        ペットボトル側面下部  
２０ｃ        ペットボトル底面角部
３０          テーブル
【図１】
2017065683.tif 000003
【図２】
2017065683.tif 000004
【図３】
2017065683.tif 000005
【図４】
2017065683.tif 000006
【図５】
2017065683.tif 000007
【図６】
2017065683.tif 000008
【手続補正書】
【提出日】平成27年11月5日(2015.11.5)
【手続補正１】
【補正対象書類名】明細書
【補正対象項目名】０００４
【補正方法】変更
【補正の内容】
【０００４】
本発明が上記課題を解決するために提供するペットボトル保持具は、ベース１と、前記ベース１の四隅にガイドポスト斜面部２aをそれぞれ内側にしてベースに取り付けられた同形状の４本のガイドポスト２と、前記ベース下部に取り付けられたスベリ止め３とより構成することを特徴とする。前記ガイドポスト斜面部２aはベース中心垂線に対し５°〜１５°開いた傾きを持つのがよい。
【手続補正２】
【補正対象書類名】明細書
【補正対象項目名】００１０
【補正方法】変更
【補正の内容】
【００１０】
本実施例のペットボトル保持具は、ベース１と、前記ベース１の四隅にガイドポスト斜面部２aをそれぞれ内側にしてベースに取り付けられた同形状の４本のガイドポスト２と、前記ベース下部に取り付けられたスベリ止め３とより構成することを特徴とする。前記ガイドポスト斜面部２aはベース中心垂線に対し５°〜１５°開いた傾きを持つのがよい。
【手続補正３】
【補正対象書類名】特許請求の範囲
【補正対象項目名】請求項１
【補正方法】変更
【補正の内容】
【請求項１】
ベースと、前記ベースの四隅にガイドポスト斜面部をそれぞれ内側にしてベースに取り付けられた同形状の４本のガイドポストと、前記ベース下部に取り付けられたスベリ止めとより構成することを特徴とするペットボトル保持具である。